(57)【要約】建築材料を把持して移動させるハンドツールが、第１の端部のところにグリップを備えたリンク装置を有する。把持面を備えたプレートが、リンク装置の第２の端部に回動自在に取り付けられている。全体としてＵ字形のブラケットが、リンク装置にその第１の端部と第２の端部との中間で回動自在に取り付けられ、このブラケットは、リンク装置の第２の端部を越えて延び、その把持面が、プレートの把持面と全体として対向して設けられるようになっている。建築材料をプレートとブラケットの把持面との間に挿入してリンク装置を上方に持ち上げると、プレートとブラケットは、これらの把持面が建築材料の互いに反対側の側部にしっかりと接触してこれを把持するよう回動する。
2004532167.tif 000002
【特許請求の範囲】
【請求項１】
建築材料を把持し、移動させるハンドツールであって、
第１の端部にグリップを備えたリンク装置と、
該リンク装置の第２の端部に回動自在に取り付けられ、把持面を備えたプレートと、
前記リンク装置にその第１の端部と第２の端部との中間で回動自在に取り付けられたブラケットとを有し、該ブラケットは、前記リンク装置の第２の端部を越えて延び、前記プレートの前記把持面と全体として対向して配置された把持面を有し、
前記建築材料を前記プレートと前記ブラケットの把持面との間に挿入し、前記リンク装置を上方に持ち上げたときに、前記プレート及び前記ブラケットは、これらの前記把持面が前記建築材料の両側部にしっかりと接触し、把持するよう回動する、
ハンドツール。
【請求項２】
リンク装置は、互いに全体として平行になるようにグリップの互いに反対の端部に取り付けられた一対の支持アームを有していることを特徴とする請求項１記載のハンドツール。
【請求項３】
支持アームの形状は各々、Ｌ字形であることを特徴とする請求項２記載のハンドツール。
【請求項４】
支持アームは各々、約２２°だけ角度的にずれた一体の第１の区分と第２の区分を有していることを特徴とする請求項３記載のハンドツール。
【請求項５】
プレート及びブラケットの把持面は、全体として平らであることを特徴とする請求項１記載のハンドツール。
【請求項６】
ブラケットの形状は、全体としてＵ字形であることを特徴とする請求項１記載のハンドツール。
【請求項７】
プレート及びブラケットの把持面に取り付けられたクッションインサートを更に有していることを特徴とする請求項１記載のハンドツール。
【請求項８】
インサートは、ゴム材料で構成されていることを特徴とする請求項７記載のハンドツール。
【請求項９】
建築材料を把持し、移動させるハンドツールであって、
１対の支持アームの第１の端部に取り付けられたグリップを備えたリンク装置と、
前記支持アームの第２の端部に回動自在に取り付けられ、全体として平らな把持面を備えたプレートと、
前記支持アームにその第１の端部と第２の端部との中間で回動自在に取り付けられたブラケットとを有し、該ブラケットは、前記リンク装置を越えて延び、前記プレートの前記把持面と全体として対向して設けられた全体として平らな把持面を有し、
前記建築材料を前記プレートと前記ブラケットの把持面との間に挿入し、前記リンク装置を上方に持ち上げたときに、前記プレート及びブラケットは、これらの把持面が前記建築材料の両側部にしっかりと接触し、把持するように、回動する、
ハンドツール。
【請求項１０】
支持アームの形状は各々、Ｌ字形であることを特徴とする請求項９記載のハンドツール。
【請求項１１】
支持アームは各々、約２２°だけ角度的にずれた一体の第１の区分と第２の区分を有していることを特徴とする請求項１０記載のハンドツール。
【請求項１２】
ブラケットの形状は、全体としてＵ字形であることを特徴とする請求項９記載のハンドツール。
【請求項１３】
プレート及びブラケットの把持面に取り付けられたクッションインサートを更に有していることを特徴とする請求項９記載のハンドツール。
【請求項１４】
インサートは、ゴム材料で構成されていることを特徴とする請求項１３記載のハンドツール。
【請求項１５】
建築材料を把持し、移動させるハンドツールであって、
１対の全体としてＬ字形の支持アームの第１の端部に取り付けられたグリップを有するリンク装置と、
前記支持アームの第２の端部に回動自在に取り付けられ、全体として平らな把持面を備えたプレートと、
前記支持アームにその第１の端部と第２の端部との中間で回動自在に取り付けられた全体としてＵ字形のブラケットとを有し、該ブラケットは、リンク装置を越えて延び、前記プレートの把持面と全体として対向して配置された全体として平らな把持面を有し、
前記建築材料を前記プレートと前記ブラケットの把持面との間に挿入し、前記リンク装置を上方に持ち上げるたときに、前記プレート及びブラケットは、これらの把持面が前記建築材料の両側部にしっかりと接触し、把持するように、回動する、
ハンドツール。
【請求項１６】
支持アームは各々、約２２°だけ角度的にずれた一体の第１の区分と第２の区分を有していることを特徴とする請求項１５記載のハンドツール。
【請求項１７】
プレート及びブラケットの把持面に取り付けられたクッションインサートを更に有していることを特徴とする請求項１５記載のハンドツール。
【請求項１８】
インサートは、ゴム材料で構成されていることを特徴とする請求項１７記載のハンドツール。
【発明の詳細な説明】
【０００１】
発明の背景
本発明は一般に、建築材料に用いられるツール（工具）に関する。本発明は特に、建物の建築などに用いられる重く且つ（或いは）扱いにくい材料を保持したり把持するよう設計されたハンドツール（手工具）に関する。
【０００２】
建築業界では、サイズが大きく、重く、又は扱いにくい種々の建築材料がある。かかる材料としては、パネル、ボード、ドライウォール壁板のシート、石膏ボード、シートロック、合板、パーティクルボード、プレストウッド、メラミン樹脂、花崗岩、大理石及びガラスが挙げられる。
【０００３】
これら材料のパレットは、建築現場に送るためのトラックの荷台上に積載され、又は、建築現場の領域又は建築中の建物の高さ位置までクレーンによって持ち上げられるが、かかる材料パレットは依然として、建造物の内部でこれらの最終目的地まで個々に運ばれなければならない。かかる材料は重量のある場合が多いが、これらは、１人だけ又は２人の建築作業員によりこれらの最終目的地まで運搬される場合がある。これら材料を運搬する際の困難さは、これらが非常に大きいということにある。例えば、１枚の合板は、幅が４〜６フィート（約１．２ｍ〜１．８ｍ）、長さは８フィート（２．４ｍ）以上の場合がある。かかる材料には把持のための取っ手穴又は孔がないのが通例である。かくして、１枚のシート状材料を運ぶのに、建築作業員は代表的には、材料の縁部を指と手のひらの間でしっかりと掴んで、この材料を地面から数インチ（１インチは、２．５４ｃｍ）持ち上げ、その状態で歩いてこのシート状をその最終目的地まで運ぶ。かかるシート状材料のこの運搬方法は厄介であるだけでなく、建築作業員の手、腕、上半身及び首を疲れさせる。
【０００４】
これら材料のうち幾つか、例えば、ガラス又は大理石は、非常に滑り易く、建築作業員の手の掴み状態から滑り落ちる場合がある。かかる落下により、シート状材料は少なくとも一部が（もし全部でなくても）使い物にならなくなる場合があり、その結果、建築プロジェクトのコストが増大することになる。
【０００５】
したがって、建築作業員が扱いにくいパネルやシート状建築材料を掴んだり保持するのを助けるよう設計されたツールが要望されている。かかるツールは、かかるシート状材料を損傷させないでかかるシート状材料を掴むように構成されたものであることが必要である。かかるツールは又、建築作業員がシート状材料を一層自然に保持して運ぶことができるようにするものであることが必要であり、従って、重量は疲労や外傷を防止するよう体の前又は側ではなく、建築作業員の体全体にわたって分布するようになっている。本発明は、これらの要望を満たし、他の関連した利点をもたらす。
【０００６】
発明の概要
本発明は、建築材料、例えば、シート状及びパネル状材料を把持して移動させるハンドツールに関する。ハンドツールは、第１の端部のところにグリップを有するリンク装置と、リンク装置の第２の端部に回動自在に取り付けられている、把持面を備えたプレートとを有する。ブラケットが、リンク装置にその第１の端部と第２の端部との中間で回動自在に取り付けられている。ブラケットは、リンク装置の第２の端部を越えて延び、ブラケットは、プレートの把持面と全体として対向して設けられた把持面を有する。建築材料をプレートとブラケットの把持面との間に挿入してリンク装置を上方に持ち上げると、プレートとブラケットは、これらの把持面が建築材料の互いに反対側の側部にしっかりと接触してこれを把持するよう回動する。
【０００７】
リンク装置は、互いに全体として平行になるようにグリップの互いに反対の端部に取り付けられた一対の支持アームを有する。支持アームの形状は各々、Ｌ字形であり、支持アームは各々、互いに角度的にずれた一体の第１の区分と第２の区分を有する。特に好ましい実施形態では、各支持アームの第１及び第２の区分は、約２２°だけ角度的にずれている。
【０００８】
ブラケットの形状は、全体としてＵ字形である。プレート及びブラケットの把持面は、全体として平らであり、建築材料との摩擦接触作用を高めると共に例えば建築材料がガラス、大理石等から成る場合、建築材料の仕上げ面に掻き傷や擦り傷が生じないようにするためにプレート及びブラケットの把持面にはクッションインサートが取り付けられる。インサートは、これら目的を達成するためにゴム材料で構成されるのがよい。
【０００９】
本発明の他の特徴及び利点は、本発明の原理を例示的に示す添付の図面と関連して以下の詳細な説明を読むと明らかになろう。
添付の図面は、本発明を示している。
【００１０】
好ましい実施形態の詳細な説明
本発明の目的で図面に示されているように、本発明は、全体が符号１０で示されたツールに関し、このツールは、パネル、シート及び他のこれらと類似した嵩張ると共に（或いは）重量のある建築材料を把持して保持し、これらを或る場所から別の場所へ運び易くするよう設計されている。
【００１１】
今、図１〜図３を参照すると、ツール１０は一般的に、リンク装置１２と、リンク装置１２の端に回動自在に取り付けられたプレート１４と、プレート１４に隣接してリンク装置に回動自在に取り付けられた全体としてＵ字形のブラケット１６とで構成されている。リンク装置１２は、支持アーム２０，２２の第１の端部に取り付けられたグリップ１８を有している。グリップ１８は好ましくは円筒形であって、建築作業員の手のひらに保持されるようになっており、支持アーム２０，２２は、互いに全体として平行になるようにグリップ１８の端部のところに取り付けられている。
【００１２】
支持アームは、耐久性のある材料、例えば、アルミニウム又は鋼で構成されている。支持アーム２０，２２の形状はそれぞれ、全体としてＬ字形である。各アーム２０，２２は、第１の部分２４及び第１の部分２４よりも短く、第１の部分２４から角度的にずれている一体の第２の部分２６を有している。特に好ましい実施形態では、一体の第１部分２４と第２の部分２６は、約２２°だけずれている。かかる角度により、建築材料２８に対して早く且つしっかりとした把持が得られ、しかも、建築作業員により大きな梃子の作用及び快適さが与えられることが判明した。しかしながら、本発明は、ハンドツール１０の作用が所望の結果を達成する限り、かかる角度には必ずしも限定されないことは理解されるべきである。
【００１３】
プレート１４は、支持アーム２０，２２の第２の端部に回動自在に取り付けられている。細長いツール３０が、例えばツール３０をプレート１４に注型して形成することにより又は中空部材をこれに取り付けることによりプレート１４の後面に形成されている。ツール３０は、いずれかの端部が開口しており、ボルト３２等を受け入れるよう支持アーム２０，２２の孔と整列可能であり、それにより、プレート１４がボルト３２を中心として旋回することができるようにするヒンジが形成される。ツール３０は好ましくは、プレート１４の中心線に沿って位置決めされている。ただし、ツールは、これには限定されず、適当であると考えられる場所に位置決め可能である。ツール３０と全体として反対側に位置するプレート１４の全体として平らな表面は、把持面３４を構成している。シート状建築材料２８の表面に対する損傷、例えば、掻き傷、擦り傷等が生じるのを阻止するため、クッションシート３６が把持面３４に取り付けられている。代表的には、インサート３６は、上述の掻き傷や擦り傷の付くのを阻止する耐久性のあるゴム材料から成っている。好ましくは、インサート３６は、建築材料２８を摩擦の作用で保持し易くするよう粗面又は摩擦面を有している。
【００１４】
ブラケット１６は、全体としてＵ字形であり、このブラケットは、端部のところ又はその近くに開口ツール４０を構成する比較的短い延長部４８を有し、この延長部は、注型工程中に形成され、又は、延長部３８の端部を内方に巻くことにより形成される。中空ツール４０は、支持アーム２０，２２にその端部の中間のところで、しかも代表的にはプレート１４のピボット箇所３２に隣接して形成された孔と整列し、ボルト４２等をかかる孔を通って挿入してブラケット１６がプレート１４と例示した仕方で旋回できるようにするヒンジを構成することができる。ブラケット１６は、把持面４４を構成するよう支持アーム２０，２２の第２の端部を越えて延びていて、この把持面は、プレート１４の把持面３４と全体として向かい合った状態でこれから幾分間隔を置いて設けられている。
【００１５】
好ましくは、ブラケット１６の把持面４４は、上述したようにこれに取り付けられたクッションインサート３６を更に有している。把持面４４を構成するブラケット１６の部分は代表的には、ピボット箇所３２を構成する反対側の表面３８よりも非常に長い。ブラケット１６の形状はピボットプレート１４と協働することにより、ツール１０をブラケット１６がリンク装置１２の端を越えて延びるときに建築材料２８の任意の自由縁部上に位置決めできる。
【００１６】
プレート１４とブラケット１６はそれぞれ、これらの対応関係にある回動ヒンジ３２，４２に沿って別個独立に旋回又は回動する。これにより、把持面３４，４４を、これらが互いに対し正確に平行であるが、この平行位置から別個独立に旋回できるように差し向けることができる。
【００１７】
図４及び図５に示すように、ツール１０の把持面３４，４４は、建築材料２８又は２８′の厚さとは無関係に、ツール１０をパネル状の建築材料２８又は２８′上に配置すると、互いに対して平行なままである。ただし、この厚さが、ツール１０によって許容された範囲内にあることを条件とする。把持面３４，４４の摩擦係合と重力の作用とが組み合わさることによって、シート状建築材料２８又は２８′の確実な把持が得られその状態が維持される。
【００１８】
プレート１４及びブラケット１６の旋回又は回動の度合い及び把持面３４，４４相互間の距離は、ボルト３２，４２の間隔を変え、プレート１４及びブラケット１６のサイズを変更し、又は、プレート１４の後面上のツール３０の位置を変えることにより幾分調整可能である。ツール１０は、数インチから１インチの何分の１という短い厚さを有する建築材料をクランプし又は把持することができる。これよりも大きな又は小さな厚さに対応するため、プレート１４又はブラケット１６の相対的なサイズ又は位置の変更を上述したように修正することができる。例えば、ブラケット１６の幅を増大させると、ツール１０が例えば厚さ数インチのコンクリートブロックを掴んで持ち上げることができるようになる。
【００１９】
これらの変更にもかかわらず、プレート１４及びブラケット１６の特定の設計、これらの規格的形状及びこれらヒンジ３２，４２の相対的な位置により、把持面３４，４４は、パネル、ボード、ブロック等の露出した縁部上を滑るのに十分互いに開くが、次に、グリップ１８を上方又は内方に持ち上げると、互いに対し正確に平行な位置まで旋回したり揺動することができ、リンク装置１２及びシート状建築材料２８を持ち上げているとき、把持面３４，４４に大きな圧力を及ぼすようになる。
【００２０】
本発明のツール１０を用いることにより、建築作業員の指、手、手首及び背中への応力及び潜在的な損傷が大幅に減少する。ツール１０は、建築材料２８を取り扱い、持ち上げ、引っ張り、押し、又は移動させ、或いは保持している間の建築材料２８に対する制御が損なわれ又は無くなる恐れが減少する。グリップ１８をユーザの手のひらで快適にしっかりと掴むことができるので、建築作業員は比較的容易に、かかる材料を梯子を上り、屋根のてっぺんを横切り、そして建築現場を通って運搬することができる。ツール１０のかかる構造により、建築作業員は、これを用いない場合に可能な又は実際における場合よりも大型でしかも重量が非常に重い物品を取り扱ったり持ち上げることもできる。シート状建築材料２８をツール１０で把持すると、建築作業員は、シート２８を再位置決めすることができ、従って、シート状建築材料の頂縁部をツール１０により片手で持ち上げ、そしてツール１０が建築作業員の横及び前の扱いにくく且つ痛みを感じる位置に代えて、肩の上に位置した状態で建築作業員によって運搬されるようになる。
【００２１】
本発明の幾つかの実施形態を例示の目的で詳細に説明したが、本発明の精神及び範囲から逸脱することなく各実施形態の幾つかの改造例を想到できる。したがって、本発明は、特許請求の範囲の記載にのみ基づいて定められる。
【図面の簡単な説明】
【００２２】
【図１】シート状の建築材料を把持する本発明を具体化したハンドツールの前から見た斜視図である。
【図２】図１の後ろから見た斜視図である。
【図３】図１及び図２のハンドツールを緩め開き状態で示す断面図である。
【図４】比較的薄いシート状の建築材料の把持の仕方を示す図１の４−４線矢視断面図である。
【図５】厚みのあるシート状建築材料を把持するハンドツールを示す図４と類似した断面図である。
【国際公開パンフレット】
2004532167.tif 000003
2004532167.tif 000004
2004532167.tif 000005
2004532167.tif 000006
2004532167.tif 000007
2004532167.tif 000008
2004532167.tif 000009
2004532167.tif 000010
2004532167.tif 000011
2004532167.tif 000012
2004532167.tif 000013
2004532167.tif 000014
2004532167.tif 000015
2004532167.tif 000016
【国際公開パンフレット（コレクトバージョン）】
2004532167.tif 000017
2004532167.tif 000018
【国際調査報告】
2004532167.tif 000019
2004532167.tif 000020